(57)【要約】【課題】  いわゆる電子ペーパーと呼ばれるフレキシブルな表示装置を用いて、種々の印刷用紙および印刷インキに対応して、それらによる印刷物に近似させたプルーフを、その評価の場で自在に作成でき、シミュレーションできる画像表示システムを提供する。【解決手段】  複数の要素色の組み合わせにより画像表示するフレキシブル表示装置を用いた画像表示システムで、目標印刷物の複数の印刷条件を格納した印刷条件テーブルと、印刷条件により定まる印刷色と表示装置において印刷色の各々に近似する発色を生ぜしめる要素色とを関係づけた複数のルックアップテーブルとを備え、印刷条件の選択に伴い画質が異なる複数の画像を表示装置に表示可能にする。【選択図】  図９
2006293063.tif 000002
【特許請求の範囲】
【請求項１】
複数の要素色の組み合わせにより画像表示するフレキシブル表示装置を用いた画像表示システムであって、目標印刷物の複数の印刷条件を格納した印刷条件テーブルと、前記印刷条件により定まる前記目標印刷物の印刷色と前記フレキシブル表示装置において前記印刷色の各々に近似する発色を生ぜしめる前記要素色とを関係づけた複数のルックアップテーブルとを備え、前記印刷条件の選択に伴い画質が異なる複数の画像を前記フレキシブル表示装置に表示可能な画像表示システム。
【請求項２】
前記の印刷条件テーブルが、前記目標印刷物の印刷用紙及び印刷インキに関する情報を格納していることを特徴とする請求項１に記載の画像表示システム。
【請求項３】
前記印刷条件の選択手段を備えると共に、前記フレキシブル表示装置を制御して画像信号を出力する制御装置と、前記画像信号を受信して前記フレキシブル表示装置に画像表示させるプリンタとからなる請求項１または２に記載の画像表示システム。
【請求項４】
前記フレキシブル表示装置と前記画像表示システムとが一体化されていることを特徴とする請求項３に記載の画像表示システム。
【請求項５】
複数の要素色の組み合わせにより印刷物に近似した画像を表示するフレキシブル表示装置のためのルックアップテーブルを生成するＬＵＴ生成システムであって、前記フレキシブル表示装置に書き込むプリンタと、前記フレキシブル表示装置の要素色濃度を測定する測色器と、前記印刷物と前記フレキシブル表示装置の色彩値を測定する色調測定器とを備え、前記色彩値を介して前記印刷物の印刷色ごとに前記要素色濃度を特定してルックアップテーブルを生成することを特徴とするＬＵＴ生成システム。
【発明の詳細な説明】
【技術分野】
【０００１】
本発明は、目標印刷物のプルーフ（色校正）を作成するにあたり、目標印刷物の印刷用紙やインキを代えた場合の画質が異なった複数のプルーフを、印刷物の色校正評価の場において、発注者（クライアント）の要望に応じて簡単に作成できる画像表示システムに関する。
【背景技術】
【０００２】
印刷の途中の段階で仕上がりの印刷物の状態をあらかじめチェックするための、いわゆるプルーフ（色校正）では、伝統的な平台色校正方式やダイレクトデジタルカラープルーフ（ＤＤＣＰ）としての銀塩写真方式、インクジェット方式などの様々なプルーフ作成用の機器が用いられている。近年では短納期化、コスト削減の観点からＤＤＣＰが多用される傾向にある。
【０００３】
ところで、印刷物ではそのデザインが重要とされるが、質感（画質）も重要である。印刷物の質感は、用いられる印刷用紙や印刷インキによって大きく変化し、印刷物の発注者が実際に印刷物やプルーフを見た場合に、その良否の判断が大きく変わることも珍しくない。そのため、本印刷前に、使用できる印刷用紙やインキが異なる３種類ていどのプルーフをあらかじめ選択して作成し、発注者の意見を求めることも多い。
【０００４】
しかし、例示した中に発注者が満足する画質のものが含まれない場合もあり得る。印刷用紙や印刷インキには多くの種類があるから、これらの組み合わせ中に発注者が求める画質のものがある可能性は高いが、種類に応じた数多くの画質のプルーフをあらかじめ作成するには、多大な手間とコストを要するため現実的ではない。
【０００５】
一方、近年、いわゆる電子ペーパーと呼ばれる紙のように薄く軽くてフレキシブルで、コンピュータ上で扱われる文字や画像などのデジタル情報を表示でき、しかも電気的な仕組みで書き換え可能なフレキシブル表示装置が各種開発されている（例えば、特許文献１〜３参照）。このような表示装置は、多くは光反射型で紙に近い視認性や取り扱い性を有することから注目されており、電気泳動方式や感熱方式など各種の方式のものが知られている。さらに、カラーフィルタを併用することによるカラー化も行われている。
【０００６】
しかし、いずれの表示装置も単にコンピュータ上のデジタル情報である文字や画像を表示するだけであり、印刷物で用いられる印刷用紙やインキの違いによる質感の違いを表現できるものではなかった。
【特許文献１】特開２００３−１７７６８２号公報
【特許文献２】特開２００３−３４５２６７号公報
【特許文献３】特開２００４−１９８６８９号公報
【発明の開示】
【発明が解決しようとする課題】
【０００７】
本発明は、いわゆる電子ペーパーと呼ばれるフレキシブルな表示装置を用いて、種々の印刷用紙および印刷インキに対応して、それらによる印刷物に近似させたプルーフを、その評価の場で自在に作成でき、シミュレーションできる画像表示システムを提供することを課題とする。
【課題を解決するための手段】
【０００８】
発明の第１は、複数の要素色の組み合わせにより画像表示するフレキシブル表示装置を用いた画像表示システムであって、目標印刷物の複数の印刷条件を格納した印刷条件テーブルと、前記印刷条件により定まる前記目標印刷物の印刷色と前記フレキシブル表示装置において前記印刷色の各々に近似する発色を生ぜしめる前記要素色とを関係づけた複数のルックアップテーブルとを備え、前記印刷条件の選択に伴い画質が異なる複数の画像を前記フレキシブル表示装置に表示可能な画像表示システムである。
【０００９】
ここで、前記の印刷条件テーブルが、前記目標印刷物の印刷用紙及び印刷インキに関する情報を格納していることは好ましい。また、前記印刷条件の選択手段を備えると共に、前記フレキシブル表示装置を制御して画像信号を出力する制御装置と、前記画像信号を受信して前記フレキシブル表示装置に画像表示させるプリンタとからなることは好ましい。また、前記フレキシブル表示装置と前記画像表示システムとが一体化されていることことは好ましい。
【００１０】
発明の第２は、複数の要素色の組み合わせにより印刷物に近似した画像を表示するフレキシブル表示装置のためのルックアップテーブルを生成するＬＵＴ生成システムであって、前記フレキシブル表示装置に書き込むプリンタと、前記フレキシブル表示装置の要素色濃度を測定する測色器と、前記印刷物と前記フレキシブル表示装置の色彩値を測定する色調測定器とを備え、前記色彩値を介して前記印刷物の印刷色ごとに前記要素色濃度を特定してルックアップテーブルを生成することを特徴とするＬＵＴ生成システムである。
【発明の効果】
【００１１】
フレキシブル表示装置を用いて、目標印刷物に近似した高性能のプルーフを容易に表示することができる。その際、目標印刷物で用いられる印刷用紙や印刷インキの多くの組み合わせに対応して、各種の質感のプルーフを表示することができる。さらに、印刷物の発注者に対するプレゼンテーションの場で、直ちに目標印刷物で用いる印刷用紙や印刷インキを代えたプルーフを表示することが可能となる。
【発明を実施するための最良の形態】
【００１２】
以下、本発明の実施の形態について図面を用いて説明する。図１は、画像表示システムにおいて印刷物の質感の違いを表現するために必要な、印刷条件ごとのルックアップテーブル（ＬＵＴ）をあらかじめ生成するためのＬＵＴ生成システムのハードウェア構成の例を示した図である。まず、このＬＵＴ生成システムを説明し、次にこれで生成されたＬＵＴを用いる画像表示システムについて説明する。
【００１３】
図１の生成システムは、データ処理を行うワークステーションのごときコンピュータ１が中心となっており、これに、ＩＳＯステータスＴ等の測定条件に基づいて標準カラーパッチの濃度を測定する測色器５３と、色彩の三刺激値を測定する色調測定器５４とが、必要なインターフェイスを介して接続されている。なお、色調測定器としては、例えば、Ｘ−Ｒｉｔｅ社製分光測色／濃度計５３０型やコニカミノルタ社製分光測色計ＣＭ−２０２２等があげられる。また、フレキシブル表示装置１０に、電気的に画像を書き込むための専用プリンタ２８が必要なインターフェイスを介して接続されている。フレキシブル表示装置１０は、プリンタ２８で後述する標準カラーパッチ画像が書き込まれ、続いて測色器５３と色調測定機５４に順次送られて、要素色濃度と三刺激値がそれぞれ測定される。また、印刷物用の標準カラーパッチ画像が印刷された標準印刷物９が、色調測定機５４に送られて三刺激値が測定される。
【００１４】
ここで、フレキシブル表示装置１０としては、一部を拡大して図２に模式的に示したいわゆるツイスティングボール方式と呼ばれる構造を備えるものを例として用いる。この構造は、白と黒の２色の微小な帯電球が回転可能に多数配置されたものであり、各帯電球は、白の半球１７等が正に、黒の半球１８等が負にそれぞれ帯電しており、一つ一つが微小な電気双極子になっている。帯電球の背面には、正または負の電荷を帯びることで帯電球を回転させるＴＦＴ基板１４等が設けられており、画素ごとに正に帯電するか負に帯電するかを切り替えることができる。また、画素ごとに帯電量を制御することで色調を多段階でほぼ連続的に調整することができる。帯電球の前面には、ＴＦＴ基板に対応して透明電極１１等が設けられおり、ＴＦＴの動作に応じて帯電球が回転することで、白の半球がカラーフィルタ側に向いたり、黒の半球がカラーフィルタ側に向いたりして画像を形成する。さらに、透明電極の外側は、カラー化のための要素色であるＲ（赤）、Ｂ（青）、Ｇ（緑）のカラーフィルタになっている。
【００１５】
このようなフレキシブル表示装置１０に外部から光２３が入射すると、帯電球の白半球がカラーフィルタ側を向いている場合だけ光が反射して、出射光２４が生じる。そのため、図２に例示した帯電球の状態では、この部分を目視観察すると赤色に見えることになる。他の色に付いても同様に、帯電球の回転状態の組み合わせに応じて光の反射が生じる。これにより、各種の色調を表示することができる。
【００１６】
フレキシブル表示装置としては、印刷物のように表面の光反射により画像が可視化されるものであり、カラー表示可能で電気的に多段階でほぼ連続的に画像の色調が調整でき、かつフレキシブルで薄くて軽いものであれば良い。例えば、上記のツイスティングボール方式以外にも、色の異なる２種類の帯電粒子をマイクロカプセル内に封入し、電気泳動により移動させて画像を表示するマイクロカプセル型電気泳動方式、１種類の帯電粒子を表示面に水平に電気泳動させる水平移動型電気泳動方式、析出銀塩の遮蔽能を用いた電解析出・溶解方式、コレステリック液晶を用いた光書き込み方式、ロイコ染料を用いた感熱方式等のいずれでも用いることができる。また、カラー化方式は、上記のようなＲＢＧのカラーフィルタを並列に配置するのでも良いし、写真感材のようにＹ（イエロー）、Ｍ（マゼンタ）、Ｃ（シアン）を要素色として各層をそれぞれ積層して設けても良く、フレキシブル表示装置の方式に合わせて適宜選択すればよい。
【００１７】
フレキシブル表示装置１０への画像の書き込みは、この例では専用プリンタ２８により行う。専用プリンタ２８では、図３に模式的に示したように、二つのロール２５、２６がフレキシブル表示装置１０をはさんで送り出すようになっており、ロールに挟まれた際に、画像信号に基づいてロール表面に設けられた電極からＴＦＴ基板の画素ごとに通電がなされることで画像形成されるようになっている。なお、書き込み方式は、フレキシブル表示装置１０の方式に応じて各種の書き込み方式を採用すれば良く、ここで示した例には限定されない。また、専用プリンタ２８はフレキシブル表示装置１０と別体型の例を示しているが、通常の液晶ディスプレイ等のような一体型であっても良いことはいうまでもない。
【００１８】
次に、図４は、ＬＵＴ生成システムを制御面からみた概略構成図である。ここで記憶部４０は、コンピュータ１内のハードディスクで構成されており、処理部３０は記憶部４０から適宜読み出されたプログラムとデータとにより、コンピュータ１のＣＰＵにおいて随時構成される。まず、記憶部４０から説明する。
【００１９】
記憶部４０の標準カラーパッチ画像４１は、フレキシブル表示装置において、その要素色を多段階に調整した場合に表示できる色をカラーパッチとして表示した画像である。例えば、要素色としてＲＢＧを用い、各要素色を２５６段階に調整できるとすると、理論的には２５６の３乗である約１６７８万色のカラーパッチ画像を含むことになる。しかし、これでは数が大きすぎるため、プルーフにおける印刷色の再現性に問題が生じない範囲内で、適宜間引いた標準カラーパッチ画像４１をあらかじめ用意するのが省略化の観点から好ましい。
【００２０】
印刷条件テーブル４２は、印刷物で用いることができる印刷用紙及び印刷インキの種類のデータを格納したテーブルである。ある印刷用紙に使用できる印刷インキの組み合わせごとに対応するＬＵＴが特定され、これにより様々な印刷物での発色をプルーフで再現することが可能になる。
【００２１】
特性ファイル４３は、印刷条件テーブル４２から選択された印刷物の標準カラーパッチで表現された印刷色のＣＩＥＬＡＢ色空間におけるＬ*ａ*ｂ*座標値等の均等色空間における色彩値と、フレキシブル表示装置の標準カラーパッチで表現可能な色に含まれるＩＳＯステータスＴ条件等で測定された要素色濃度および、標準カラーパッチで表現可能な色のＣＩＥＬＡＢ色空間等の均等色空間における色彩値とを、印刷物とフレキシブル表示装置の色の色彩値を介することで、互いに近似する色を関係づけて生成されたテーブルである。
【００２２】
ここで、印刷物は、印刷のプロセスカラーと呼ばれるＣ、Ｍ、Ｙ、Ｋ（黒）の各版と必要により用いられる特色版とを用い、あらかじめ定められた順序で印刷用紙上にそれぞれのインキを刷り重ねていくことで印刷される。印刷物では、インキの刷り重ねにより種々の色調が表現され、例えば、プロセスカラーだけの組み合わせでは、それぞれの単独の４色と、複数の版の順序を特定した重ね合わせによる１１色と、白地を加えた合計１６色が表現される。これが、印刷色の標準カラーパッチの数となる。
【００２３】
印刷版の組み合わせで表現される印刷色を図５に示す。図５は、色名の列に示された印刷物上の網点面積率が１００％のベタ色が、同じ行の白丸で示された印刷版の刷り重ねで表現されることを意味している。ここで「＋」は、色を刷り重ねている意味である。さらに必要により、特色と呼ばれるプロセスカラー以外のインキが任意で用いられる場合は、版の組み合わせによる印刷色が増加することになる。なお、以下の説明に使用する版の色の表示は、図５の表示に従うものとする。
【００２４】
つまり、特性ファイル４３は、このように印刷条件ごとに特定される印刷用紙とインキとを用いた場合の印刷物で表現される色の全部について、あらかじめ測定・格納された均等色空間座標を比較することにより、フレキシブル表示装置で対応する近似色の要素色濃度の組み合わせを関係づけるためのテーブルである。特性ファイル４３は、印刷条件ごと、印刷用紙とインキの可能な組み合わせごとに用意する。この特性ファイル４３は、容量が大きいためＬＵＴ生成システムだけに格納し、後述する画像表示システムには、より簡易なルックアップテーブル４３を代わって搭載するのがよい。
【００２５】
ルックアップテーブル４４は、特性ファイル４３から、目標印刷物で用いられる印刷色ごとに、フレキシブル表示装置の近似色の要素色濃度を読み出して格納したテーブルである。この例を図６に示す。ここでは、要素色がＲ、Ｂ、Ｇの場合のテーブル例を示した。後述の画像表示システムには、印刷条件ごとにこのようなルックアップテーブルを特定して搭載する。
【００２６】
次に、基準濃度テーブル４５は、フレキシブル表示装置における画像表示のための電圧や電流等の電気的な駆動力と、フレキシブル表示装置で表示される要素色の濃度との間に線形性が無い場合に、濃度に応じて必要な駆動力をかけるためのテーブルである。このテーブルは、フレキシブル表示装置においてあらかじめ要素色ごとに駆動力を多段階に変動させて、生じる要素色濃度を測定し、駆動力とそれに対応する要素色濃度とを関係づけて格納することで得られる。そのため、基準濃度テーブル４５は要素色ごとのテーブルの組み合わせからなる。このようなテーブルの例を図７に示す。なお、記憶部４０には、これらの他、ＬＵＴ生成システムを動作させるプログラムや画面表示データ等も格納されているが図示していない。
【００２７】
次に、図４の処理部について、ルックアップテーブルを生成する処理の概略フローを示した図８に沿って説明する。処理がスタートすると、まず印刷条件入力部３１が、印刷条件選択入力用画面をディスプレイ５１に表示する。この画面にマウスやキーボード等の入力装置５０を用いて選択入力がなされる（Ｓ１０ステップ）と、その選択に対応する特性ファイル４３の生成が開始される。
【００２８】
続くＳ２０ステップでは、カラーパッチ出力部３２により、フレキシブル表示装置で表現できる色の全範囲にわたって可能な限り表示した標準カラーパッチ画像４１を、記憶部４０から読み出して、プリンタ２８により画素ごとにフレキシブル表示装置に書き込んで出力する（Ｓ２０ステップ）。
【００２９】
標準カラーパッチ画像を書き込まれたフレキシブル表示装置は、続いて測色器５３に送られ、測色値測定部３３の指示により、例えばＩＳＯステータスＴ条件により各パッチの要素色濃度が測定される。測定値は特性ファイル４３に格納される。さらに、標準カラーパッチは色調測定器５４に送られ、色彩値読み込み演算部３４により色覚の三刺激値である色彩値が測定される（Ｓ３０ステップ）。測定される三刺激値は特に限定されず、均等色空間座標であるかまたは均等色空間座標に変換可能なものであればよい。三刺激値が均等色空間座標でない場合は、例えば、ＣＩＥＬＡＢ色空間におけるＬ*ａ*ｂ*座標のごとき均等色空間座標に演算して色彩値とする。色彩値は特性ファイル４３に格納される。これでフレキシブル表示装置で表現可能な色の要素色濃度が特定される。
【００３０】
次に、印刷条件に対応する印刷用標準カラーパッチの印刷物９が別途用意され、これが色調測定器５４に投入される。すると、やはり色彩値読み込み演算部３４により各パッチの色覚の三刺激値が測定され、均等色空間座標に変換されて特定ファイル４３に格納される（Ｓ４０ステップ）。これで特定の印刷条件で表現される印刷色が特定される。
【００３１】
続いて、特定ファイル生成部３５は、各印刷色の均等色空間座標に近似する均等色空間座標を有するフレキシブル表示装置の色（要素色の組み合わせ）を特定し、両者を関係づける処理を行う（Ｓ５０ステップ）。これで、特定の印刷条件で表現される印刷色に対応してフレキシブル表示装置で表現すべき要素色が特定され、特性ファイル４３が完成する。さらに、新しい印刷条件による印刷物のデータを追加したい場合は、その標準カラーパッチの色彩値を測定して、各印刷色の均等色空間座標を特定すればよい。
【００３２】
特性ファイル４３は、フレキシブル表示装置で表現可能な実質的に全部の色のデータを含んでいるので容量が大きい。そのため、次に、ルックアップテーブル生成部３６は、プルーフ画像生成のために最低限必要なデータだけをまとめたルックアップテーブル４４を生成する（Ｓ６０ステップ）。このテーブルは図６に例示したように、特定の印刷条件で作成される印刷物の印刷色に対応して、フレキシブル表示装置で生ずべき要素色濃度を特定したテーブルである。このテーブルは印刷色×要素色の数の濃度データが格納されているだけであるから必要容量が小さく、取り扱いも簡易である。これでルックアップテーブル４４が完成する。
【００３３】
なお、基準濃度テーブル生成部３７は、ルックアップテーブルと類似の手順により別途生成されるが、要素色を組み合わせたカラーパッチがなく、要素色ごとに単独で、プリンタにおける電圧や電流などの出力条件を多段階に変えたカラーパッチを出力して、その要素色濃度を測定して出力条件と関係づけて生成される。この基準濃度テーブルも印刷条件ごとに生成される。これでＬＵＴ生成システムにおける処理が完了する。
【００３４】
このようにして、比較的容量が小さいルックアップテーブルと基準濃度テーブルとが印刷条件ごとに生成される。その際、要素色を実質的に連続階調となる程度の多段階で調整することが可能なので、各種の印刷条件の印刷物に近似したプルーフ画像を適宜フレキシブル表示装置に簡易に表示することが可能になる。
【００３５】
次に、ＬＵＴ生成システムで生成されたルックアップテーブルと、必要により基準濃度テーブルとを用いて、印刷物の発注者の前で、印刷用紙やインキなどの印刷条件を代えた場合の印刷物のプルーフ画像を、適宜フレキシブル表示装置に表示させるための画像表示システムについて説明する。図９は、画像表示システムのハードウェア構成の例を示した図である。図９の画像表示システム例は、持ち運びが簡単なノート型パソコン６０と、ノート型パソコン６０と赤外線通信可能なフレキシブル表示装置１０の専用プリンタ２９と、電子ペーパーとしてのフレキシブル表示装置１０とからなる。プリンタ２９とフレキシブル表示装置１０とが一体型であることが望ましいことは言うまでもないが、図９に示したように別体で用いるのでも良い。
【００３６】
図１０は、画像表示システムを制御面からみた概略構成図である。プリンタ２９とフレキシブル表示装置１０以外はノート型パソコン６０内に構成されている。まず、ハードディスク内の記憶部８０から説明する。
【００３７】
印刷画像データテーブル８１は、印刷物のＰＤＦ形式等のデジタルデータをベースに、プルーフ用にＲＩＰ処理されたものであり、その概念図を図１１に示す。印刷画像データテーブル８１は、画素の集合体として構成されており、画素ごとに「１」か「０」の２値データが、用いられる版の数だけ貼り付けられている。これら２値データは、印刷版がその画素において刷られる「１」か、刷られないか「０」を規定している。特色を用いる場合は、その特色版のデータ列が特色の数だけ増える。
【００３８】
印刷条件テーブル８２は、印刷用紙や印刷インキなどの印刷物を作成する際に用いることができる各種の条件を格納したテーブルであり、ＬＵＴ生成システムの説明における印刷条件テーブル４２と実質的に同じものである。このテーブルから印刷用紙やインキ等を選択することにより、対応するプルーフを随時得ることが可能になる。
【００３９】
ルックアップテーブル８３は、ＬＵＴ生成システムで生成されたルックアップテーブルと同じものであり、印刷条件テーブル８２で選択可能な印刷用紙やインキの組み合わせごとに異なるものがあらかじめ用意されている。これにより、印刷条件ごとに異なる印刷物の画質や色調を、随時フレキシブル表示装置で再現することが可能になる。
【００４０】
基準濃度テーブル８４は、フレキシブル表示装置の表示方式の特性により必要な場合に用いられ、ＬＵＴ生成システムで生成された基準濃度テーブルと同じものである。
【００４１】
表示用画像データテーブル８５は、図１１に示したごとき２値画像データが、後述のフローによりフレキシブル表示装置の画素ごとの要素色濃度の多値データに変換されたものであり、その例の概念図を図１２に示す。この表示用画像データ８５を専用プリンタ２９に送ることにより、フレキシブル表示装置１０にプルーフ画像が書き込まれる。
【００４２】
次に、処理部７０について図１３のフローチャートを用いながら説明する。図１３は、フレキシブル表示装置にプルーフ画像を書き込んで出力する処理の概略フローを示した図である。まず、入力・選択部７１によりディスプレイ９１に表示された印刷用紙やインキ等の印刷物で用いる印刷条件から、特定の条件をキーボードやマウスなどの入力装置を用いて選択入力する（Ｓ１００ステップ）。すると、選択入力された印刷条件に対応するルックアップテーブルが選択される（Ｓ１１０ステップ）。これで、選択された印刷条件で用いられる印刷用紙やインキを用いた印刷物に対応する、フレキシブル表示装置を用いたプルーフの要素色濃度が特定される。
【００４３】
次に、画像濃度特定部７２が、図１１の２値画像データとルックアップとを用い図５の関係に基づいて、画素ごとに要素色濃度を特定していく（Ｓ１２０ステップ）。つまり、フレキシブル表示装置における画素ごと要素色ごとの発色量を特定する。特定された発色量は図１２の表示用画像データテーブル８４に格納される。フレキシブル表示装置の全部の画素に対して要素色濃度が特定されて、表示用画像データテーブル８４が完成する。
【００４４】
次に、必要により画像表示部７３が、表示用画像データと基準濃度テーブルとを用いて、要素色濃度をフレキシブル表示装置を駆動するための画素ごとの電圧値や電流値に変換する（Ｓ１３０ステップ）。これにより、電気的な駆動力とフレキシブル表示装置の発色濃度との間に線形性がない場合でも、目的とする色調をプルーフ画像に的確に再現することが可能となる。
【００４５】
最後に、画素ごとの駆動力のデータを専用プリンタ２９に送信し、プリンタ２９からフレキシブル表示装置１０にプルーフ画像を書き込む。これで、Ｓ１００ステップで選択された印刷条件に対応するプルーフ画像を、フレキシブル表示装置に表示することができる。
【００４６】
このようにすることにより、いわゆる電子ペーパーとしてのフレキシブル表示装置を用いて、目標印刷物に近似した高性能のプルーフを容易に表示することができる。その際、目標印刷物で用いられる印刷用紙や印刷インキの多くの組み合わせに対応して、各種の質感のプルーフを、プレゼンテーションの場における印刷物の発注者の要望に応じて、直ちに表示することができる。
【００４７】
以上、本発明の実施の形態について説明したが、本発明は以上に説明した発明の具体的態様に限定されるものではない。例えば、画像表示システムは、プレゼンテーションの際の機器類の持ち運びが容易なようにＬＵＴ生成システムとは別のシステムとしているが、一つのシステムとして構成し、プレゼンテーションの際には測色器や色調色調測定器を取り外して、画像表示システムの部分だけを持ち運ぶようにしても良い。また、上記の例では、要素色としてＲＢＧを用いたフレキシブル表示装置を例として説明したが、ＹＭＣやその他の要素色を用いる物であっても良い。また、画像表示システムの説明では赤外線通信でプリンタと通信する例を示したが有線でも良いことは言うまでもない。また、フレキシブル表示装置画素ごとに要素色ごとに多段階（例えば２５６段階）に色調を調整する例を説明したが、画素が生じる色調の種類を３〜５種類程度に限定し、それぞれの色の画素が単位領域あたりに占める数により、全体の色調が決まるようにしても良い。両者を混合して用いても良い。また、フレキシブル表示装置の駆動力を電圧や電流のような電気的なもので説明したが、磁気や光を駆動力としても良い。
【００４８】
また、上記の説明では、ＬＵＴ生成システムや画像表示システムの処理部において、画像データの処理を行う機能はコンピュータプログラムにより実現されているが、専用ハードウェアを用いるものであっても良い。また、そのようなコンピュータプログラムは、コンピュータ読み取り可能な記録媒体に格納されても良い。プログラムを記録媒体に格納する際には、複数の部分に分割し、分割したものをそれぞれに記憶媒体に格納してあってもよい。ここで、記録媒体とは、フレキシブルディスク、光磁気ディクス、ＲＯＭ、ＣＤ−ＲＯＭ等の可搬媒体、コンピュータシステムに内蔵されるハードディスク等を言う。
【図面の簡単な説明】
【００４９】
【図１】ＬＵＴ生成システムの概略ハードウェア構成例を示した模式図である。
【図２】フレキシブル表示装置の微細構造を示した模式図である。
【図３】フレキシブル表示装置に専用プリンタで書き込む仕組みを説明するための模式図である。
【図４】ＬＵＴ生成システムを制御面から見た概略構成を示したブロック図である。
【図５】印刷色と、印刷版の組み合わせとの関係を示した表である。
【図６】ルックアップテーブルの例を示した概念図である。
【図７】基準濃度テーブルの例を示した概念図である。
【図８】ＬＵＴ生成システムにおける概略フローを示したフローチャートである。
【図９】画像表示システムの概略ハードウェア構成例を示した模式図である。
【図１０】画像表示システムを制御面から見た概略構成を示したブロック図である。
【図１１】印刷物やプルーフの作成に使用されるデジタル画像データの例を示した概念図である。
【図１２】表示用画像データテーブルの例を示した概念図である。
【図１３】画像表示システムで行われる処理の概略フローチャートを示した図である。
【図１】
2006293063.tif 000003
【図２】
2006293063.tif 000004
【図３】
2006293063.tif 000005
【図４】
2006293063.tif 000006
【図５】
2006293063.tif 000007
【図６】
2006293063.tif 000008
【図７】
2006293063.tif 000009
【図８】
2006293063.tif 000010
【図９】
2006293063.tif 000011
【図１０】
2006293063.tif 000012
【図１１】
2006293063.tif 000013
【図１２】
2006293063.tif 000014
【図１３】
2006293063.tif 000015